(57)【要約】【課題】  配管内に挿通されるケーブルの必要とされる長さを挿通する前に知ることができるようにする。【解決手段】  通線ワイヤのワイヤ２はフレキシブルスチール等からなり、該ワイヤ２に先端からの距離を示す目盛り４を所定間隔で付している。これにより、ワイヤ２を配管内に挿通してケーブルの布設を行う際に、ワイヤ２の目盛り４を読み取ることにより必要とされるケーブルの長さを事前に知ることができるようになる。【選択図】  図２
2006288130.tif 000002
【特許請求の範囲】
【請求項１】
可撓性を有する弾性材からなるワイヤからなり、該ワイヤに先端からの距離を示す目盛りが所定間隔で付されていることを特徴とする通線ワイヤ。
【請求項２】
前記目盛りが、単位長の種類毎に対応する異なる幅で表されていることを特徴とする請求項１記載の通線ワイヤ。
【請求項３】
前記目盛りが、単位長の種類毎に対応する異なる色あるいは模様で表されていることを特徴とする請求項１記載の通線ワイヤ。
【請求項４】
前記目盛りが、単位長の種類毎に対応する異なる長さで表されていることを特徴とする請求項１記載の通線ワイヤ。
【発明の詳細な説明】
【技術分野】
【０００１】
本発明は、天井裏や壁内、パイプスペース等に布設されている配管内にケーブルを通すための通線ワイヤに関する。
【背景技術】
【０００２】
従来、建物の天井裏や壁内、パイプスペース等には電力用のケーブルや通信用のケーブルを配線するための配管が建設時に布設されている。この配管内に、電力用のケーブルや通信用のケーブルを挿通して配線するための工具として通線ワイヤが知られている。
通線ワイヤは、可撓性を有し外力が加えられない状態においては直線状を維持するような弾性を有している。通線ワイヤの材質は、一般にフレキシブルスチール（ピアノ線）製とされているが、グラスファイバーやナイロンの糸を撚り合わせた太い糸状の弾性を有するフィッシュテープからなる通線ワイヤも知られている。
【特許文献１】特開平１１−１４６５２４号公報
【発明の開示】
【発明が解決しようとする課題】
【０００３】
通線ワイヤを用いて配管内にケーブルを挿通する場合には、配管の一端から通線ワイヤを配管内に挿入して配管の他端まで通線ワイヤを通すようにする。そして、配管の他端まで通した通線ワイヤの先端に配管内に挿通するケーブルの先端を固定する。この状態において、配管の一端において通線ワイヤを引き戻していくことにより、通線ワイヤの先端に固定したケーブルが配管内に挿通されていくようになる。ここで、通線ワイヤの先端までを配管の一端から抜き戻した際に、配管の一端から他端までに亘りケーブルが挿通されるようになり、ここで通線ワイヤの先端からケーブルの先端部をはずすことにより、配管内にケーブルを配線することができるようになる。
【０００４】
この場合、配管内に挿通されるケーブルの長さは配管の長さだけあればよいが、天井裏や壁内、パイプスペース等に布設されている配管は目視することができずその長さをあらかじめ知ることは困難である。さらに、空いたスペースに配管が布設されている場合が多いことから配管はいたる所で折曲されて布設されている場合が多くされている。すると、ケーブルを挿通する前には十分な長さのケーブルと判断された場合であっても、配管の長さを正確に知ることができないことから挿通した際にケーブルの長さが足りなくなる場合も考えられる。この場合には、より長いケーブルに交換して再度同じ挿通作業を行わなければならないことから、長さに十分余裕のないケーブルは使用しないようにしていた。すなわち、配管内に挿通されるケーブルの長さは必要と判断される長さより、十分余裕のある長さのケーブルを用意するか、リール等に巻回されているどのような長さにも対処することのできるケーブルを用意する必要があった。このため、十分余裕のある長さのケーブルを用意して配管内にケーブルを挿通する作業をした後に、ケーブルが余ることが多くなり、余ったケーブルは切断して廃棄しなければならず、ケーブルを有効に使用することができないという問題点があった。また、リール等に巻回されているどのような長さにも対処することのできるケーブルを用意する場合には、ケーブルの挿通作業を行う箇所毎にリール等に巻回されているどのような長さにも対処することのできるケーブルを用意しなければならず、大量のケーブルが必要になるという問題点があった。
【０００５】
そこで、本発明は、配管内に挿通されるケーブルの必要とされる長さを挿通する前に知ることのできる通線ワイヤを提供することを目的としている。
【課題を解決するための手段】
【０００６】
上記目的を達成するために、本発明の通線ワイヤは、ワイヤに先端からの距離を示す目盛りが所定間隔で付されていることを最も主要な特徴としている。
【発明の効果】
【０００７】
本発明によれば、ワイヤに先端からの距離を示す目盛りが所定間隔で付されていることから、配管の一端から他端まで通線ワイヤを通した際に配管の一端において配管の長さを知ることができるようになる。これにより、配管内に挿通するワイヤの長さを挿通する前に正確に知ることができることから、大量のケーブルを用意することがないと共にケーブルに無駄が生じることなく有効にケーブルを使用して配線することができるようになる。
【発明を実施するための最良の形態】
【０００８】
本発明では、配管内に挿通されるケーブルの必要とされる長さを挿通する前に知ることのできる通線ワイヤを提供するという目的を、ワイヤに先端からの距離を示す目盛りが所定間隔で付されていることで実現した。
【０００９】
本発明の実施例の通線ワイヤの全体構成を図１に示す。
図１に示す本発明にかかる通線ワイヤ１は、たとえば約３ｍｍないし約５ｍｍの径の可撓性および復元性を有するフレキシブルスチールからなる数十ｍの長さを有するワイヤ２と、このワイヤ２を円形に束ねて収納する円筒を円弧状に折曲して形成した収納ケース３から構成されている。ワイヤ２の先端にはケーブルを固定するための孔部を有する先端部２ａが設けられている。本発明にかかる通線ワイヤ１におけるワイヤ２には、先端部２ａから所定間隔、例えば１ｍ毎に先端部２ａからの距離を示す目盛りが付されている。また、ワイヤ２はフレキシブルスチールに限らず、グラスファイバーやナイロンの糸を撚り合わせた約３ｍｍないし約５ｍｍの径の糸状の可撓性および復元性を有するフィッシュテープから構成してもよい。
【００１０】
本発明にかかる通線ワイヤ１におけるワイヤ２の詳細構成を図２に示す。図２に示すようにワイヤ２の先端にはケーブルを固定するための孔部を有する先端部２ａが設けられている。このワイヤ２には、目盛り４が所定間隔毎に付されており、図示する目盛り（ｎ）はワイヤ２の先端部２ａからの距離Ｌの数値を示す目盛りとされており、目盛り（ｎ＋１）は目盛り（ｎ）の次に付された目盛り４であり、目盛り４間の間隔ｄが１ｍとされている場合は、目盛り（ｎ＋１）はワイヤ２の先端部２ａからの距離（Ｌ＋１）の数値を示す目盛りとされている。すなわち、先端部２ａから目盛り（ｎ）までの距離Ｌが例えば１８ｍとされている場合は目盛り（ｎ）は数値「１８」を表す目盛りとされ、先端部２ａから１９ｍの位置に付された目盛り（ｎ＋１）は数値「１９」を示す目盛りとされる。
【００１１】
このような本発明にかかる通線ワイヤ１を用いて配管内にケーブルを挿通する作業を説明すると、まず、配管の一端から通線ワイヤ１のワイヤ２を配管内に挿入していき、配管の他端からワイヤ２の先端部２ａが露出するまでワイヤ２を配管内に通していく。配管の他端からワイヤ２の先端部２ａが露出した際に、配管の一端において通線ワイヤ１のワイヤ２に付されている目盛り４を読み取る。この読み取った目盛り４が示す数値は、ワイヤ２が配管内に導入されている長さであることから、ケーブルを挿通する配管の長さと同等となる。そこで、読み取った目盛り４が示す数値を満足する長さのケーブルを用意して、配管の他端から引き出されているワイヤ２の先端部２ａに当該ケーブルの一端を固定する。次いで、配管の一端において通線ワイヤ１を引き戻していくことにより、ワイヤ２の先端部２ａに固定したケーブルが配管内に挿通されていくようになる。
【００１２】
そして、通線ワイヤ１におけるワイヤ２の先端部２ａまで配管の一端から抜き出された際に、ワイヤ２の先端部２ａに固定されていたケーブルの一端をはずす。これにより、配管の一端から他端までに亘りケーブルが挿通できるようになる。この場合、ケーブルの長さは、配管の長さに配管の端部において配線に必要な長さを加えただけの長さとされていることから、ケーブルの長さが足りないことがないと共にケーブルを配管内に挿通した後に必要以上の長さのケーブルが余ることはなく、ケーブルを有効に活用することができるようになる。すなわち、従来の通線ワイヤを用いて配管内にケーブルを挿通する作業においては、上述したように長さに十分余裕のないケーブルを使用することができなかったが、本発明の通線ワイヤ１を使用した場合には、配管内に挿通するケーブルに必要とされる長さを正確に把握することができることから、その長さを満足するケーブルであれば用いることができる。したがって、リール等に巻回されているケーブルから必要な長さで新たに切り出したケーブルでもよいが、先の配線工事にて余ったケーブルであって長さに十分余裕がなくても必要な長さだけあればそのケーブルを使用することができるようになる。
【００１３】
次に、目盛り４の詳細について以下に説明する。
目盛り４の第１の例を図３（ａ）（ｂ）（ｃ）に示す。図３（ａ）〜（ｃ）に示す目盛り４では、目盛り４を数種類の幅のマークにより構成している。図３（ａ）には３種類の互いに異なる幅からなるマークで構成した目盛り４が示されている。最も幅が広いマークａは１本のマークａで１０ｍの単位長を意味しており、２番目に幅が広いマークｂは１本のマークｂで５ｍの単位長を意味しており、最も幅が狭いマークｃは１本のマークｃで１ｍの単位長を意味している。これらのマークａ、ｂ、ｃはワイヤ２の周側面にリング状に付されており、図３（ａ）に示すようにマークａが１本、マークｂが１本、マークｃが３本の目盛り４は１８ｍを表すことになる。また、図３（ｂ）に示すようにマークａが１本、マークｂが０本、マークｃが３本の目盛り４は１３ｍを表すことになる。さらに、図３（ｃ）に示すようにマークａが０本、マークｂが１本、マークｃが１本の目盛り４は６ｍを表すことになる。このように、３種類の異なる幅からなるマークａ、ｂ、ｃの本数を組み合わせることにより、目盛り４では最大９９ｍの距離まで表すことができる。この場合、マークａより幅が広いマークを使用して、そのマークにより５０ｍの単位長を表すようにしてもよい。
【００１４】
次に、目盛り４の第２の例を図４（ａ）（ｂ）（ｃ）に示す。図４（ａ）〜（ｃ）に示す目盛り４では、目盛り４を数種類の色または模様の同じ幅のマークにより構成している。図４（ａ）には互いに色または模様が異なる３種類のマークで構成した目盛り４が示されている。マークｄは１本のマークｄで１０ｍの単位長を意味しており、マークｄと色または模様が異なるマークｅは１本のマークｅで５ｍの単位長を意味しており、マークｄ，ｅと色または模様が異なるマークｆは１本のマークｆで１ｍの単位長を意味している。これらのマークｄ、ｅ、ｆはワイヤ２の周側面にリング状に付されており、図４（ａ）に示すようにマークｄが１本、マークｅが１本、マークｆが３本の目盛り４は１８ｍを表すことになる。また、図４（ｂ）に示すようにマークｄが２本、マークｅが０本、マークｃが２本の目盛り４は２２ｍを表すことになる。さらに、図４（ｃ）に示すようにマークｄが０本、マークｅが１本、マークｆが１本の目盛り４は６ｍを表すことになる。このように、３種類の色または模様が異なるマークｄ、ｅ、ｆの本数を組み合わせることにより、目盛り４では最大９９ｍの距離まで表すことができる。この場合、マークｄ、ｅ、ｆと色または模様が異なる第４のマークを使用して、第４のマークにより５０ｍの単位長を表すようにしてもよい。
【００１５】
次に、目盛り４の第３の例を図５（ａ）（ｂ）（ｃ）に示す。図５（ａ）〜（ｃ）に示す目盛り４では、目盛り４を数種類の長さが互いに異なるが幅が同じにされているマークにより構成している。図５（ａ）には長さが互いに異なる３種類のマークで構成した目盛り４が示されている。最も長いマークｇは１本のマークｇで１０ｍの単位長を意味しており、次に長いマークｈは１本のマークｈで５ｍの単位長を意味しており、最も短いマークｉは１本のマークｉで１ｍの単位長を意味している。これらのマークｇ、ｈ、ｉはワイヤ２の周側面に付されており、図５（ａ）に示すようにマークｇが１本、マークｈが１本、マークｉが３本の目盛り４は１８ｍを表すことになる。また、図５（ｂ）に示すようにマークｇが３本、マークｈが０本、マークｉが１本の目盛り４は３１ｍを表すことになる。さらに、図５（ｃ）に示すようにマークｇが０本、マークｈが１本、マークｉが４本の目盛り４は９ｍを表すことになる。このように、３種類の長さが異なるマークｇ、ｈ、ｉの本数を組み合わせることにより、目盛り４では最大９９ｍの距離まで表すことができる。この場合、マークｇより長いマークを使用して、そのマークにより５０ｍの単位長を表すようにしてもよい。
【００１６】
以上の説明においては、通線ワイヤ１のワイヤ２に付す目盛り４を、幅が異なるマーク、色または模様が異なるマーク、長さが異なるマークの３種類としたが、幅−色または模様が異なる組み合わせや、幅−長さが異なる組み合わせ等の２種類以上の組み合わせによるマークを用いるようにしてもよい。このようにすれば、マークの種類が増えて種々の単位長のマークを表すことができるようになる。また、ワイヤ２の先端部２ａからの距離Ｌを示す数値を目盛り４としてワイヤ２に付すようにしてもよい。なお、マークの色としてはワイヤ２の素材の色とは対照的な色を選択するのが好適である。
さらに、目盛り４を構成するマークはペイントや印刷によりワイヤ２に付すことができるが、ペイントや印刷に替えてマークとなる幅や長さあるいは色または模様のテープをマークの種類分用意して、そのテープをワイヤ２に巻き付けてマークとしてもよい。
【産業上の利用可能性】
【００１７】
以上の説明では配管にケーブルを通す際に目盛りを付した通線ワイヤ１を用いるようにしたが、これに限るものではなく建物の隙間や埋設された管等にケーブルを布設する際に本発明にかかる通線ワイヤ１を適用することができる。
【図面の簡単な説明】
【００１８】
【図１】本発明の実施例の通線ワイヤの全体構成を図である。
【図２】本発明にかかる通線ワイヤにおけるワイヤの詳細構成を示す図である。
【図３】本発明にかかる通線ワイヤにおける目盛りの第１の例の詳細を示す図である。
【図４】本発明にかかる通線ワイヤにおける目盛りの第２の例の詳細を示す図である。
【図５】本発明にかかる通線ワイヤにおける目盛りの第３の例の詳細を示す図である。
【符号の説明】
【００１９】
１  通線ワイヤ、２  ワイヤ、２ａ  先端部、３  収納ケース、４  目盛り
【図１】
2006288130.tif 000003
【図２】
2006288130.tif 000004
【図３】
2006288130.tif 000005
【図４】
2006288130.tif 000006
【図５】
2006288130.tif 000007